(57)【要約】【課題】導光板の両面を発光面として用いる照明器具であって、該導光板の一方の面と他方の面とにおいて均等に発光させるとともに導光板の両面の全面に亘って均一に発光させて、照明光としての発光ムラを低減した照明器具を提供する。【解決手段】ＬＥＤ光源部５０と、該ＬＥＤ光源部５０からの光を導光して外部に出射する導光板３１を備える照明器具１１において、前記ＬＥＤ光源部５０は、前記導光板３１の一端面である入射部２０に対向する位置に配置され、前記導光板３１は、取付壁部Ｃから突出して取り付けられるとともに、対向する一対の面のうち一方の面に所定のドットパターンの印刷が施される。【選択図】図３
2015032395.tif 000002
【特許請求の範囲】
【請求項１】
光源と、該光源からの光を導光して外部に出射する導光板とを備える照明器具において、
前記光源は、前記導光板の一端面に対向する位置に配置され、
前記導光板は、取付壁部から突出して取り付けられるとともに、前記一端面に隣接し互いに対向する一対の面のうち一方の面に一部の光を透過させ一部の光を反射させる光調整部を有することを特徴とする照明器具。
【請求項２】
前記光源は、弾性部材を介して保持部材に保持されている、請求項１に記載の照明器具。
【請求項３】
前記光源は、前記導光板が前記導光板の延出方向に進退した際に、前記導光板の一端面に追従することを特徴とする請求項２に記載の照明器具。
【請求項４】
前記光源が前記導光板の一端面に追従する際に、当該光源と前記導光板の一端面との間隔を一定に保持するスペーサを有することを特徴とする請求項３に記載の照明器具。
【請求項５】
前記導光板は、一対の挟持部材に挟持されるとともに該一対の挟持部材間を連結部材で連結されることを特徴とする請求項１から請求項４のいずれか一項に記載の照明器具。
【請求項６】
前記導光板の一対の対向する面における前記光源近傍に、遮光部材を配置したことを特徴とする請求項１から請求項５のいずれか一項に記載の照明器具。
【請求項７】
前記光源は、ＬＥＤであることを特徴とする請求項１から請求項６のいずれか一項に記載の照明器具。
【発明の詳細な説明】
【技術分野】
【０００１】
本発明は、導光板を備えた照明器具に関する。
【背景技術】
【０００２】
従来、導光板を用いて面状の照明光を出射する照明装置が種々提案されている。例えば、光を入射する入射面と該入射面から入射した光を出射する出射面とを有する導光板と、該導光板を介して光を装置本体の外側に照射する光源部とを備えた照明装置が知られている（例えば、特許文献１参照）。
【０００３】
特許文献１には、照明装置の一種として非常時に避難者を誘導するための誘導灯が開示されている。この誘導灯は、天井から吊り下げる導光板を備え、ＬＥＤを光源とする誘導灯である。具体的には、この誘導灯は、光源部として矩形の導光板の一端面（入射面）に沿ってＬＥＤを複数個実装した基板が対向配置され、該光源部からの光を導光板の一端面（入射面）から導光板内に入射して導光板の表面を発光させるものである。この導光板は、該導光板の一端側にある光の入射面が本体の内側に配置され、導光板の光の出射面が本体の外側に配置されるとともに、導光板の他端側を下方に突出させて天井に取り付けられる。この誘導灯は、光源からの光を導光板を介して本体の外側に照射し、本体の外側部分（避難者に視認される側）に配置された表示板に、導光板の出射面から光が出射されることで、避難者を誘導するための文字や図柄が表示される構成となっている。
【先行技術文献】
【特許文献】
【０００４】
【特許文献１】特開２０１０−１７０６９５号公報
【発明の概要】
【発明が解決しようとする課題】
【０００５】
しかしながら、特許文献１に開示された照明装置は、誘導灯として表示板の文字や図柄を避難者に明示すること、すなわち表示板の文字や図柄を発光させることでその視認性を高めることを目的としたものである。すなわち、屋内等の空間を照らす照明光を得ることを目的としたものではなく、このような誘導灯では照明光として所定の照度を確保することは困難である。例えば、屋内等の空間を明るく照らす照明光を得たい場合、導光板を用いた照明器具としては、導光板の片面だけを発光面として使用するだけでなく導光板の両面を発光面として用いるものであって、該導光板の一方の面と他方の面とにおいて均等に発光させるとともに導光板の両面の全面に亘って均一に発光させて、照明光としての発光ムラを低減したものが求められる。
【０００６】
そこで、本発明は、上記課題に鑑みてなされたものであり、導光板の両面を発光面として用いる照明器具であって、該導光板の一方の面と他方の面とにおいて均等に発光させるとともに導光板の両面の全面に亘って均一に発光させて、照明光としての発光ムラを低減した照明器具を提供することを目的とする。
【課題を解決するための手段】
【０００７】
本発明の解決しようとする課題は以上の如くであり、次にこの課題を解決するための手段を説明する。
【０００８】
即ち、本願に開示する照明器具は、
光源と、該光源からの光を導光して外部に出射する導光板とを備える照明器具において、
前記光源は、前記導光板の一端面に対向する位置に配置され、
前記導光板は、取付壁部から突出して取り付けられるとともに、前記一端面に隣接し互いに対向する一対の面のうち一方の面に一部の光を透過させ一部の光を反射させる光調整部を有するものである。
【０００９】
本願に開示する照明器具において、
前記光源は、弾性部材を介して保持部材に保持されている構成とすることが好ましい。
【００１０】
本願に開示する照明器具において、
前記光源は、前記導光板が前記導光板の延出方向に進退した際に、前記導光板の一端面に追従する構成とすることが好ましい。
【００１１】
本願に開示する照明器具において、
前記光源が前記導光板の一端面に追従する際に、当該光源と前記導光板と一端面との間隔を一定に保持するスペーサを有する構成とすることが好ましい。
【００１２】
本願に開示する照明器具において、
前記導光板は、一対の挟持部材に挟持されるとともに該一対の挟持部材間を連結部材で連結される構成とすることが好ましい。
【００１３】
本願に開示する照明器具において、
前記導光板の一対の対向する面における前記光源近傍に、遮光部材を配置した構成とすることが好ましい。
【００１４】
本願に開示する照明器具において、
前記光源は、ＬＥＤとすることが好ましい。
【発明の効果】
【００１５】
本発明によれば、導光板の一方の面と他方の面とにおいて均等に発光させるとともに導光板の両面の全面に亘って均一に発光させて、照明光としての発光ムラを低減した照明器具を提供することができる。
【図面の簡単な説明】
【００１６】
【図１】本発明の一実施形態に係る照明器具を斜め上方から見た斜視図。
【図２】同じく照明器具の側面断面図。
【図３】図２のＡ−Ａ矢視断面図。
【図４】図３における照明器具を示す断面図。
【図５】ＬＥＤを搭載した基板（ＬＥＤモジュール）を示す斜視図。
【図６】照明器具を複数連結した状態を示す側面図。
【図７】パターン印刷層におけるドットパターンの一例を示す図。
【図８】照明器具におけるＬＥＤ５１の近傍の部分拡大断面図。
【発明を実施するための形態】
【００１７】
次に、本発明の実施形態に係る照明器具１１について、図１から図７を用いて説明する。本実施形態に係る照明器具１１は、ＬＥＤ光源部５０の光を導光板３１を介して照射する照明器具である。照明器具１１は、例えば、器具本体２１を天井等の取付壁部Ｃの裏側（室内の反対側）に配置された所定の固定部材に固定し、導光板３１を天井等の取付壁部Ｃに形成される開口部Ｈから室内側に突出して設置されるものである。照明器具１１は、取付壁部Ｃに単独で設置されたり、図６に示すように、複数（図６では、４つの照明器具１１を連結）の照明器具１１を所定方向に連続して連結して設置することができる。照明器具１１を設置する向きは特に制限されず、所望する光の照射方向に応じて設置してよい。照明器具１１は、例えば、図３に示すように天井に設置されるシーリングライトとして使用することができる。以下の説明では、照明器具１１が備える導光板３１に沿った方向（導光板３１の延出方向）を上下方向とし、照明器具１１において器具本体２１側を上方とし、導光板３１の先端側を下方として説明する。図１から図７においては図面の白抜き矢印方向Ｙを上方とする。また、図３に示す照明器具１１の正面断面図において中心側を内側とし、その反対側を外側とする。
なお、本実施形態では、照明器具１１を天井に設置するシーリングライトとして用いる場合を一つの例として挙げて説明するが、特に照明器具１１の設置場所を限定するものではない。照明器具１１の設置場所としては、本実施形態の天井の他、例えば、壁面、床面（足元）等であってもよく、これら以外であっても照明器具１１の器具本体２１を固定して設置することができる設置場所であればよく、特に設置場所を限定するものではない。
【００１８】
照明器具１１は、図３、図４に示すように、主に器具本体２１、導光板３１、ＬＥＤ光源部５０、光源位置調節機構６１及び取付部材７１を備える。
【００１９】
器具本体２１は、照明器具１１の本体を構成するものであり、一対の挟持部材２２で主に構成されている。一対の挟持部材２２は、図３、図４に示すように、正面視左右対称に配置されるものであり、一対の断面視略階段状に形成される板金部材を導光板３１を介して対向して配置される。一対の挟持部材２２は、導光板３１の長手方向の長さと略同じ長さを有する部材であり、導光板３１の一対の対向する面３１ｘ及び３１ｙ（以下では単に「導光板３１の両側面」ともいう）の上部に配置され、該導光板３１を挟持するものである。すなわち、挟持部材２２は、下側から順に、第１平板部２３、第１段部２４、第２平板部２５、第２段部２６、第３平板部２７、および一対の端板部２８を備える。第１平板部２３は、取付壁部Ｃの上面（裏面）に対向する。第１段部２４は、該第１平板部２３の内側端から略直角に上方へ立設され、導光板３１の両側面３１ｘ及び３１ｙにそれぞれ遮光板８０を介して当接する当接面を有する。第２平板部２５は、該第１段部２４の上端から略直角に外側に向けて連設される。第２段部２６は、該第２平板部２５の外側端から略直角に上方へ立設される。第３平板部２７は、該第２段部２６の上端から略直角に外側に向けて連設される。一対の端板部２８は、第１平板部２３、第１段部２４、第２平板部２５、第２段部２６及び第３平板部２７の長手方向両端に連設される正面視Ｌ字状（図３の右側は正面視逆Ｌ字状）の部分である。一対の挟持部材２２は、導光板３１の上部において導光板３１を挟持した状態で連結部材２９（本実施形態では、ビスとナット）により取り付けられる。一対の挟持部材２２は、導光板３１の両側面３１ｘ及び３１ｙの上部に取り付けられることで、図３に示すように、一対の挟持部材２２の上部に照明器具１１の長手方向に沿って延設される凹部３０が形成される。該凹部３０は、後述するＬＥＤ光源部５０と光源位置調節機構６１が収容され配置される部分である。挟持部材２２は、所定の熱伝導性を有する鉄系材料（スチール）等の金属部材を用いて形成されている。なお、挟持部材２２は、熱伝導性を有する材料であれば金属部材に限定されない。また、挟持部材２２は、例えば高い熱伝導性を有するアルミニウム系材料で形成されていることが好ましいが、熱伝導性を有することは必須ではない。
【００２０】
導光板３１は、ＬＥＤ光源部５０から出る光を導光して外部に出射する板状部材である。導光板３１は、該導光板３１の一端面である入射部２０に隣接し互いに対向する一対の面のうち一方の面（本実施形態では他方の面３１ｙ）に一部の光を透過させ一部の光を反射させる光調整部（本実施形態では、パターン印刷部４１）を有する。導光板３１は、該導光板３１の先端側を取付壁部Ｃの開口部Ｈから突出して取り付けられるものである。導光板３１は、取付壁部Ｃの開口部Ｈから室内側へ突出して取り付けられるものである。導光板３１は、導光部材３２と保護板８１とから構成される。導光部材３２は、透光性を有する透明のアクリル樹脂素材等で形成される側面視略長方形状の板状部材である。導光板３１は、遮光板８０で覆われる部分を除く面が光を発光する発光面（光が出射される面）となる。具体的には、導光板３１の両側面のうち一方の面３１ｘは、導光板３１内に導かれた光を透過して導光板３１の外側に出射される透明な面である。一方、導光板３１の両側面のうち他方の面３１ｙは、その表面に所定のドットパターン形状のパターン印刷層４１（図７参照）が施されている。導光板３１は、導光板３１内に導かれた光の一部がドットパターンが印刷されていない部分を透過して導光板３１の外側に出射するともに、導光板３１内に導かれた光の一部がパターン印刷層４１のドットパターンにおいて内側に反射する。導光板３１は、ＬＥＤ光源部５０から出射された直接光を導光部材３２の内側で反射（拡散反射）させながら、導光板３１の一方の面３１ｘと他方の面３１ｙとにおいて光を均等に発光（出射）させるものである。さらに、導光板３１の下端部３１ａ、導光板３１の長手方向両端に位置する両端部３１ｂは導光板３１内に導かれた光を透過して導光板３１の外側に出射される透明な部分（本実施形態の場合は、透明な平面）である。導光板３１の上端には、ＬＥＤ光源部５０から出射された光を導光板３１内に入射する入射部２０を有している。導光板３１は、ＬＥＤ光源部５０から出射された光が入射部２０を介して入射され、入射した光は導光板３１の互いに対向した一方の面３１ｘ及び他方の面３１ｙとで互いに反射しながら所定方向（本実施形態では、下方向）に導かれるとともに、導光板３１の両側面３１ｘ及び３１ｙから均等に外側に光を出射させるものである。導光板３１には、導光板３１の長手方向の所定位置（導光板３１の長手方向の両端上部近傍）に取付穴を有しており、一対の挟持部材２２に挟持された状態で連結部材２９により一対の挟持部材２２が固定される。導光板３１の両面には、導光板３１を保護するために導光板３１よりも薄いアクリル製の保護板８１が配置されている。
なお、本実施形態では、１枚の導光板３１を用いて照明器具１１を構成しているが、特に限定するものではなく、複数枚からなる導光板を連続して配置することにより導光板３１を構成してもかまわない。また、導光板３１は、図２及び図７に示すように側面から見た形状を略長方形としたが、他の形状であってもよい。
【００２１】
導光板３１の入射部２０は、導光板３１の上端面であり、器具本体１１内に配置されたＬＥＤ光源部５０の前面に対向する位置でＬＥＤ光源部５０に近接して配置され、該ＬＥＤ光源部５０から出射された出射光を導光板３１内に入射させる部分である。導光板３１の入射部２０は、ＬＥＤ光源部５０から出射される直接光を透光することが可能である。
【００２２】
遮光板８０は、導光板３１上部の両側面３１ｘ及び３１ｙに当接され、該導光板３１上部の両側面３１ｘ及び３１ｙから出射される光を遮光する一対の板状の遮光部材である。遮光板８０は、黒色のアクリル製部材である。遮光板８０は、該遮光板８０の上端が第２平板部２５の上面と略面一であり、遮光板８０の下端が開口部Ｈ内に位置するように配置される。遮光板８０は、入射部２０を介して入射した入射光が導光板３１上部の両面側に出射しないように遮光するとともに、該入射光を導光板３１内に反射させる部分である。遮光板８０は、取付壁部Ｃの開口部Ｈ内や開口部Ｈの上端近傍を光で照らさないようにするためのものであり、こうすることで開口部Ｈ内や開口部Ｈの上端近傍を暗くして目立たなくして、見栄えを向上することができる。なお、遮光板８０は、必要に応じて適宜用いればよく、照明器具１１において必須の構成ではない。
【００２３】
導光板３１の両側面３１ｘ及び３１ｙのうち他方の面３１ｙ（図３に示す導光板３１においては右側の面）には、図７に示すような所定のパターン形状（本実施形態ではドットパターン形状）で白色（半透光性）の印刷部分であるパターン印刷部４１が形成されている。パターン印刷部４１は、導光板３１の表面（本実施形態では導光板３１の両側面３１ｘ及び３１ｙのうち他方の面３１ｙ）にインクジェット法によってインクをドット状にパターン印刷することで形成される。パターン印刷部４１は、所定の反射性と透過性を有するものであり、導光板３１内に導かれた光の一部がパターン印刷部４１により導光板３１の一方の面３１ｘ側へと反射されるとともに導光板３１内に導かれた光の一部がパターン印刷部４１を透過して導光板３１の外側に出射させるためのものである。導光板３１は、ＬＥＤ光源部５０から導光板３１内に入射した直接光を導光板３１内の一方の面３１ｘと他方の面３１ｙとで相互に反射及び透過させながら導光板３１の外方（本実施形態では、導光板３１の下方向及び下斜め方向）に導光し、導光板３１の一方の面３１ｘと他方の面３１ｙからＬＥＤ光源部５０の光を照射するためのものである。
【００２４】
パターン印刷部４１は、図７に示すように、導光板３１の他方の面３１ｙ（図３に示す導光板３１においては右側の面）において上下方向及び導光板３１の長手方向に沿った方向に複数並ぶドット状に形成されたものであり、器具本体２１（一対の挟持部材２２）近傍においては大径のドットが配置され、該器具本体２１（一対の挟持部材２２）近傍から下方向に離間するにしたがって、ドットが徐々に小径となるように構成されている。すなわち、パターン印刷部４１では、ＬＥＤ光源部５０近傍の領域に比較的大きいドットが配置されるとともに、ＬＥＤ光源部５０から下方向に離間するにしたがってドットの大きさを小さくするようにしたものである。これにより、導光板３１内に導かれた光の一部がパターン印刷部４１により導光板３１の一方の面３１ｘ側へと反射される光量及び導光板３１内から導光板３１の他方の面３１ｙの外側へと光が透過する光量を配光制御することができる。
つまり、導光板３１にパターン印刷部４１を形成することで、導光板３１内から導光板３１の他方の面３１ｙの外側へと光が透過する光量及び他方の面３１ｙで反射される光量をパターン印刷部４１のドットパターンの形状を変更することにより制御して、導光板３１にパターン印刷部４１を形成しない場合と比較して、照明光として、より明暗等のムラを抑え、かつ広範囲に広がる光を導光板３１の両側面３１ｘ及び３１ｙから均等かつ均一に発光させることができる。
なお、パターン印刷部のドットパターン形状は上記パターン印刷部４１に特に限定するものではなく、上記パターン層状部４１と同様の作用効果を有するドットパターン形状を適宜選定するとよい。
【００２５】
ＬＥＤ光源部５０は、ＬＥＤモジュールであり、図５に示すように、光源である複数のＬＥＤ（チップ）５１と、該ＬＥＤ５１が等間隔で配置される基板５２から構成される。ＬＥＤ光源部５０は、導光板３１の一端面である入射部２０に対向する位置に配置される。ＬＥＤ光源部５０は、その後端部が正面視コ字状でアルミ合金製の保持部材８３の下側中央部に後述するスプリング６２を介して保持される。保持部材８３は、ヒートシンクの機能も有し、ＬＥＤ（チップ）５１から発生する熱を伝導して空気中に放熱するための部材である。ＬＥＤ光源部５０は、電線を介して電源装置９１と電気的に接続されている。
なお、本実施の形態では、光源としてＬＥＤを用いたが、光源の種類はＬＥＤに限定されず、例えば有機ＥＬ素子（ＯＬＥＤ）であっても実現可能である。
【００２６】
電源装置９１は、ＬＥＤ光源部５０に給電を行って点灯させるための装置である。電源装置９１は、天井等の取付壁部Ｃの裏側（室内の反対側）に配置された所定の固定部材に固定される。電源装置９１とＬＥＤ光源部５０は電線によって電気的に接続される。
【００２７】
光源位置調節機構６１は、前述した凹部３０に配置され、保持部材８３と、取付部材７１と、弾性部材であるスプリング６２と、ビス６３、ナット６４と、から構成される。保持部材８３には、ビス６３の軸部を挿通するための挿通穴が２箇所設けられている。保持部材８３と取付部材７１とが上下方向において所定の間隔となるように、スプリング６２を換装したビス６３とナット６４によって位置決めされる。保持部材８３は、下方向からの圧力がかかるとビス６３の軸部に案内されて上方に移動可能であり、その際には圧縮されたスプリング６２により下方への圧力がかかる構成となっている。つまり、保持部材８３は、圧縮されたスプリング６２が元の形状に戻ろうとする力によって、常に下方へ押される力がかかっている。光源位置調節機構６１は、スペーサ６５（図４及び図８参照）を介してＬＥＤ５１を導光板３１の入射部２０に押し当てている。スペーサ６５は、ＬＥＤ５１の上下方向寸法よりもやや大きい略直方体形状の部材であり、ＬＥＤ光源部５０のＬＥＤ５１が導光板３１の一端面である入射部２０に追従する際に、当該ＬＥＤ５１と導光板３１と入射部２０との間隔を一定に保持するものである。これにより光源位置調節機構６１は、ＬＥＤ５１と導光板３１の入射部２０との間隔を一定に調節して保持することができるので、輝度の変動を抑えることができる。つまり、ＬＥＤ５１と導光板３１との間隔が大きくなると、ＬＥＤ５１から導光板３１に入射する光量が少なくなり、導光板３１の輝度が小さくなる。本実施形態ではＬＥＤ５１と導光板３１との間隔を一定にすることで、輝度の変動を抑えている。また、スペーサ６５を設けることで、保持部材８３が導光板３１側へ連続的に押されることによるＬＥＤ５１への加圧が無いため、ＬＥＤ５１の損傷を防ぐことができる。この光源位置調節機構６１によれば、導光板３１が当該導光板３１の延出方向（本実施形態では上下方向）に進退した際にＬＥＤ光源部５０は導光板３１の一端面である入射部２０に追従することができる。なお、ＬＥＤ５１と導光板３１と入射部２０とは、接していてもよいし、離間していてもよい。すなわち、スペーサ６５の高さは、ＬＥＤ５１の高さ以上であることが好ましい。ＬＥＤ５１と導光板３１と入射部２０とが接触する場合（スペーサ６５の高さとＬＥＤ５１の高さとが同じ寸法）は、ＬＥＤ５１が損傷を受けない程度の接触圧で接していることが好ましい。また、ＬＥＤ５１と導光板３１と入射部２０とが離間している場合（スペーサ６５の高さがＬＥＤ５１の高さよりも高い）は、ＬＥＤ５１から導光板３１に入射する光量が極端に少なくならない程度の間隙寸法であることが好ましい。
【００２８】
取付部材７１は、側面視略コ字型の板金部材であり、器具本体２１を図示しない取付具を用いて天井等の取付壁部Ｃの裏側（天井裏空間側）に配置された所定の固定部材に取り付けるためのものである。
【００２９】
上記の如く構成した照明器具１１のＬＥＤ光源部５０を点灯させた場合、導光板３１を有することで、ＬＥＤ光源部５０から出射された光は、導光板３１の入射部２０から導光板３１内に入射する。また、導光板３１内に入射した光は、拡散反射される。また、拡散反射された反射光の一部は、導光板３１の他方の面３１ｙにおいて、その反射光の一部が導光板３１の他方の面３１ｙの外側に透過するとともに、その光の残部が反射されて再び導光板３１の一方の面３１ｘ側へと向かう。すなわち、導光板３１は、導光板３１内において、導光板３１の入射部２０から入射された直接光を導光板３１の一方の面３１ｘ及び導光板３１の他方の面３１ｙとの間において交互に反射を繰り返しながら、反射光をＬＥＤ光源部５０から離間する方向に導光し、導光板３１の両側面３１ｘ及び３１ｙから、反射光の一部を透過（出射）させることで、導光板３１の両側面３１ｘ及び３１ｙを均一に発光させることができる。加えて、上記のように、導光板３１の他方の面３１ｙにパターン印刷部４１を設けているため、導光板３１内の反射光の一部は、パターン印刷部４１により導光板３１内に反射されるとともに、ドット状のパターン印刷部４１の間から導光板３１の外側に出射される。このように、ＬＥＤ光源部５０から出射された直接光を導光板３１内で反射及び透過させて配光制御を行うため、導光板３１の両面側３１ｘ及び３１ｙから均等に光が照射される。
【００３０】
すなわち、本実施形態の照明器具１１によれば、ＬＥＤ光源部５０が発光した場合、ＬＥＤ光源部５０に対向する一方の面３１ｘ側は透明であることにより光が透過される。ＬＥＤ光源部５０から導光板３１の入射部２０に光が入射し、導光板３１の他方の面３１ｙで反射されると、続いて導光板３１の一方の面３１ｘで反射され、ジグザグ状に反射を繰り返しながら導光板３１の延出方向（照明器具１１の下方向）外側へと光が進行する。これにより、導光板３１内で反射した光が導光板３１内部に拡散していきながら透過し、導光板３１の両側面３１ｘ及び３１ｙで発光する。こうして、導光板３１の端面である入射部２０にＬＥＤ（チップ）５１から出射した光を入射させて、導光板３１の他方の面３１ｙに印刷したドットパターン形状のパターン印刷部４１により反射拡散させて光の方向を変換し、導光板３１の両側面３１ｘ及び３１ｙの全面を均一に拡散反射させて導光板３１の両側面３１ｘ及び３１ｙから発光させることができる。こうして、導光板３１を通して、広い範囲に均質で柔らかな光が広がる照明器具が提供することができる。この照明器具１１は、導光板３１を介することで、ＬＥＤ５１からの直接光が外部から目視できないため、ＬＥＤ照明特有のまぶしさが軽減され、目に優しいという利点も得られる。
【００３１】
なお、本実施形態の導光板３１の形状は一例であり、本実施形態の形状に限定されるものではない。例えば、導光板３１の外形が長方形型以外の角型や丸型、その他の形状である場合には、それに応じた形状とすることができる。
【００３２】
本実施形態によれば、導光板３１の一方の面３１ｘと他方の面３１ｙとにおいて均等に発光するとともに導光板３１の両側面３１ｘ及び３１ｙの全面に亘って均一に発光させて、照明光としての発光ムラ（明暗等のムラ）を低減した照明器具１１を提供することができる。特に、ＬＥＤなどのように指向性が強い光を発する光源を備える照明器具において効果を発揮する。
【００３３】
また、本実施形態によれば、光源位置調節機構６１が配置されているため、ＬＥＤ光源部５０を保持する保持部材８３をスプリング６２で導光板３１に沿った方向（本実施形態では上下方向）に移動可能に保持しているため、導光板３１の上下変位（例えば、熱変形や経年劣化が原因によるもの）に追従してＬＥＤ光源部５０の位置を上下変位させることができる。ＬＥＤ光源部５０と導光板３１の相対位置が変わらないので、導光板３１の変位による導光板３１への入射光効率の低下を防ぐことができる。
【００３４】
また、本実施形態によれば、導光板３１を一対の挟持部材２２により挟持し、該一対の挟持部材２２間を連結部材２９により固定した。これにより、導光板３１が下方にずれることを抑えることができる。
【００３５】
また、本実施形態によれば、導光板３１に遮光板８０を取り付けたことにより、余計な光漏れを防止し、開口部Ｈ内や開口部Ｈの上端近傍を暗くして目立たなくすることで、見栄えが向上する。
また、本実施形態の照明器具１１を複数個、居室の天井に平行に並べて配置することで、室内空間全体を照らすことができる。つまり、複数の照明器具１１を、導光板３１が平行対向する姿勢で並べて配置することで、室内空間における照度を高めることができる。
【符号の説明】
【００３６】
１１  照明器具
２０  入射部
３１  導光板
４１  パターン印刷部
５０  ＬＥＤ光源部
Ｃ  取付壁部
【図１】
2015032395.tif 000003
【図２】
2015032395.tif 000004
【図３】
2015032395.tif 000005
【図４】
2015032395.tif 000006
【図５】
2015032395.tif 000007
【図６】
2015032395.tif 000008
【図７】
2015032395.tif 000009
【図８】
2015032395.tif 000010